(57)【要約】【課題】  線条部材やホース等の長尺物の引き出しをスムーズに行うことができながらも、その引き出し停止時における回転体の停止動作を正確に行うことができる長尺物の繰り出し装置の提供。【解決手段】  環状に巻かれている前記長尺物を保持する回転体と、当該回転体を回動自在に保持する基台と、前記回転体の回動を停止させる制動装置と、前記長尺物の引き出し及び／又は引き出しの停止に伴って前記制動装置を作動又は停止させる操作部材とからなり、前記操作部は、前記長尺物が引き出された時に制動装置を停止させて前記回転体の制動を解除すると共に、前記長尺物の引き出しが停止した時に前記制動装置を作動させて回転体の回動を停止させ、前記制動装置は、前記長尺物の引き出し停止後における前記回転体の回転角が１８０°以下で当該回転体を停止させる制動力を有する長尺物の繰り出し装置。【選択図】図１
2020125188.tif 000002
【特許請求の範囲】
【請求項１】
電線、光ファイバ及び紐などの線条部材やホースなどの長尺物を繰り出すための長尺物の繰り出し装置であって、
環状に巻かれている前記長尺物を保持する回転体と、当該回転体を回動自在に保持する基台と、前記回転体の回動を停止させる制動装置と、前記長尺物の引き出し及び／又は引き出しの停止に伴って前記制動装置を作動又は停止させる操作部材とからなり、
前記操作部材は、前記長尺物が引き出された時に制動装置を停止させて前記回転体の制動を解除すると共に、前記長尺物の引き出しが停止した時に前記制動装置を作動させて回転体の回動を停止させ、
前記制動装置は、前記長尺物の引き出し停止後における前記回転体の回転角が１８０°以下で当該回転体を停止させる制動力を有することを特徴とする、長尺物の繰り出し装置。
【請求項２】
前記操作部材は前記長尺物の引き出し及び／又は引き出しの停止によって揺動動作する操作杆と、当該操作杆に連結されて、前記制動装置を作動及び／又は停止させるワイヤーとからなり、
前記制動装置は、当該ワイヤーによって動作する、請求項１に記載の長尺物の繰り出し装置。
【請求項３】
前記操作部材は、基端側を基台に揺動自在に設け、先端側に回転体から引き出される長尺物を案内する案内部を設けた操作杆と、当該操作杆に連結されたワイヤーとからなり、
前記制動装置は、前記長尺物の引き出し及び／又は引き出しの停止によって揺動する操作杆によって進退移動するワイヤーによって作動又は停止することにより、前記回転体の制動又は自由回転を実現し、
当該制動装置は、回転体の任意の部位を挟持するキャリパーブレーキ、カンチブレーキ又はＶブレーキなどのリムブレーキ、回転体における回転軸部分を停止させるバンドブレーキ、ローラーブレーキ、サーボブレーキ等のハブブレーキ、及び回転体に設けられたディスク体を挟持するディスクブレーキから選択される、請求項１又は２に記載の長尺物の繰り出し装置。
【請求項４】
前記ブレーキの制動力は８０Ｎ以上である、請求項１〜３の何れか一項に記載の長尺物の繰り出し装置。
【発明の詳細な説明】
【技術分野】
【０００１】
本発明は、電線、支線、光ファイバなどのケーブルや紐などの線条材料や、ホース等を含む長尺物を繰り出すための長尺物の繰り出し装置に関し、特に環状に巻かれている長尺物を円滑に繰り出すことのできる長尺物の繰り出し装置に関する。
【背景技術】
【０００２】
電線、支線、光ファイバなどの線条材料やホースなどの長尺物は、多くの場合、ドラムやリールなどの回転体等に環状に巻かれた状態で提供されている。そしてこの環状に巻かれている線条材料など長尺物を引き出す際には、当該環状に巻かれた長尺物を回転自在に支持して、当該長尺物の引き出しを可能にする繰り出し装置が使用されている。
【０００３】
かかる繰り出し装置については、幾つかの先行技術も提案されている。例えば特許文献１（特開２００３−２３５１２２号公報）では、回転体に巻かれた線条が引き出されるときには回転体の回転を許容し、線条の引き出しが停止したときには速やかに回転体の回転を停止することができる線繰台用のブレーキ装置を提案している。この文献で提案するブレーキ装置は、線繰台に着脱自在に固定可能なクランプを有する基体５、この基体に支持された第１のブレーキ部材と、この第１のブレーキ部材に対向させて設けられた第２のブレーキ部材と、この第２のブレーキ部材を支持し、第１のブレーキ部材と第２のブレーキ部材が互いに接離する方向に摺動可能に基体に支持されたガイドロッドと、このガイドロッドを摺動させて、第１のブレーキ部材と第２のブレーキ部材の間隔を調整する送り機構とを備え、第１のブレーキ部材は、第２のブレーキ部材に近付く方向に付勢するコイルスプリングを介してガイドロッドに摺動自由に支持されている。
【０００４】
また特許文献２（特開２００６−１６０４６５号公報）では、ケーブル引出し操作を停止しても、ケーブルの引出し力による慣性によってケーブルドラムが慣性回転することなく速やかに回転停止し、ケーブルの逆巻き現象を防止することができるケーブル引出し台として、基台と、該基台から立ち上げられた縦枠と、該縦枠の上部と高さ方向中間部とから水平方向に突出された略平行な横軸と、上部横軸に揺動自在に垂下された揺動枠とからなり、前記中間部横軸は、ケーブル巻回ドラムを回転自在に軸支可能な高さ位置に設定され、前記揺動枠は、ケーブル巻回ドラムにおける側板の外周面に接当する制動部を備えた横杆と、ケーブル引出し操作時に引き出されるケーブルと接触して前記制動部をドラム側板の外周面から離脱させるケーブル接触部とを備えているケーブル引出し台を提案している。
【先行技術文献】
【特許文献】
【０００５】
【特許文献１】特開２００３−２３５１２２号公報
【特許文献２】特開２００６−１６０４６５号公報
【発明の概要】
【発明が解決しようとする課題】
【０００６】
上述のとおり、従前においてもケーブルなどの線条の引き出しに使用する器具であって、ケーブルなどの線条の引き出しを停止させたときに、回転体やドラムの回転を停止させる技術はいくつか提案されている。しかしながら、前記特許文献１にかかるブレーキ装置は、「送り機構１１によりガイドロッド１０を摺動する送り量を調整して、内面用パッド３５及び外面用パッド４７をフランジ３０５に押圧する弾性力を制御する」ものであり、これにより「ドラム３０１に巻かれた電線３１１が引き出されるときにはドラム３０１の回転を許容し、電線３１１の引き出しが停止したときには速やかにドラム３０１の回転を停止するように、内面用パッド３５及び外面用パッド４７とドラム３０１のフランジ３０５との摩擦力を調整する」ものとなっていることから、慣性回転時のトルク次第では、当該ドラムを直ちに停止することはできないものとなっていた。
【０００７】
また、前記引用文献２で提案しているケーブル引出し台も、「ケーブルの引出しを停止するとケーブルの引出し張力の減少に伴って揺動枠は自重で自動的に下降傾斜し、制動部がドラム側板の外周面に自動的に接当し揺動枠の重力を制動部に集中させた状態でそれ以上の下降傾斜を停止する。この揺動枠の重力を支える制動部のドラム側板外周面への接当によって、ケーブル巻きドラムは慣性回転を殆ど生じることなく、生じたとしても極めて少ない状態で停止させることができるので、ケーブル引出しの使用頻度に関係なく、ケーブル逆巻き現象の発生を常に防止する」ものとなっており、ケーブルの引出し停止後におけるドラムの慣性回転を許容するものとなっていた。よって、従前においては、回転体やドラムの回転を停止させる際の精度について未だ改良の余地を有していた。
【０００８】
また線条の引き出し停止時における回転体やドラムの停止を優先させる結果、線条の引き出しをスムーズに行うことについて、未だ改良の余地を有していた。
【０００９】
そこで本発明は、線条等の長尺物の引き出し停止時における回転体の停止動作を正確に行うことができる長尺物の繰り出し装置を提供し、更に望ましくは線条等の長尺物の引き出しをスムーズに行うことができながらも、その引き出し停止時における回転体の停止動作を正確に行うことができる長尺物の繰り出し装置を提供することを課題とする。
【課題を解決するための手段】
【００１０】
上記課題を解決するために、本発明では長尺物の引き出しの停止に伴って動作するブレーキの制動力を高めた長尺物の繰り出し装置を提供するものである。
【００１１】
即ち本発明にかかる長尺物の繰り出し装置は、電線、光ファイバ及び紐などの線条部材やホースなどの長尺物を繰り出すための長尺物の繰り出し装置であって、環状に巻かれている前記長尺物を保持する回転体と、当該回転体を回動自在に保持する基台と、前記回転体の回動を停止させる制動装置と、前記長尺物の引き出し及び／又は引き出しの停止に伴って前記制動装置を作動又は停止させる操作部材とからなり、前記操作部は、前記長尺物が引き出された時に制動装置を停止させて前記回転体の制動を解除すると共に、前記長尺物の引き出しが停止した時に前記制動装置を作動させて回転体の回動を停止させ、前記制動装置は、前記長尺物の引き出し停止後における前記回転体の回転角が１８０°以下で当該回転体を停止させる制動力を有することを特徴とする。
【００１２】
上記本発明にかかる長尺物の繰り出し装置の望ましい実施の形態では、前記操作部材は前記長尺物の引き出し及び／又は引き出しの停止によって揺動動作する操作杆と、当該操作杆に連結されて、前記制動装置を作動及び／又は停止させるワイヤーとからなり、前記制動装置は、当該ワイヤーによって動作するように構成することができる。
【００１３】
また上記本発明にかかる長尺物の繰り出し装置の望ましい実施の形態では、前記操作部材は、基端側を基台に揺動自在に設け、先端側に回転体から引き出される長尺物を案内する案内部を設けた操作杆と、当該操作杆に連結されたワイヤーとからなり、前記制動装置は、前記長尺物の引き出し及び／又は引き出しの停止によって揺動する操作杆によって進退移動するワイヤーによって作動又は停止することにより、前記回転体の制動又は自由回転を実現するように構成することができる。
【００１４】
そして上記本発明にかかる長尺物の繰り出し装置において、前記制動装置は、自転車や自動二輪車の制動に使用されているブレーキを用いて構成することができる。例えば、回転体の任意の部位を挟持するキャリパーブレーキ、カンチブレーキ又はＶブレーキなどのリムブレーキ、回転体における回転軸部分を停止させるバンドブレーキ、ローラーブレーキ、サーボブレーキ等のハブブレーキ、及び回転体に設けられたディスク体を挟持するディスクブレーキから選択することができる。
【００１５】
そして上記本発明にかかる長尺物の繰り出し装置では、前記ブレーキの制動力は８０Ｎ以上、望ましくは８０Ｎ以上、特に望ましくは１５０Ｎ以上のものを使用することができる。本発明にかかる長尺物の繰り出し装置は、ワイヤーケーブルや光ケーブルなど、質量の大きい線条の送り出しに使用する事もあり、これら質量の大きい線条では、引き出し時の回転に伴う慣性回転のトルクが大きくなり、此れを確実の停止させるためである。
【００１６】
そして上記の様に構成した本発明にかかる長尺物の繰り出し装置では、長尺物の引き出し停止時における回転体の停止が確実に実現できることから、回転体の回転をスムーズに行うこともできる。よって当該回転体と当該回転体を保持する基台との間には、ベアリングなどの回動円滑部材を設けることもできる。かかる回動円滑部材により回転体の回動を円滑に行った場合であっても、前記制動装置は、長尺物の引き出し停止により、迅速かつ確実に回転体の回転を停止させることから、慣性回転による長尺部材の送り出しに起因する長尺物の絡まりを阻止することができる。
【００１７】
また本発明では、上記長尺物の繰り出し装置に関連して、これを長尺物の巻取に使用した長尺物の巻取装置を提供する。かかる長尺物の巻取装置は、作業者が前記制動装置を操作することにより、任意のタイミングで制動装置をどううささせる事のでる長尺物の巻取装置が実現する。
【００１８】
即ち、本発明では、電線、光ファイバ及び紐などの線条部材やホースなどの長尺物を巻き取るための長尺物の巻取装置であって、前記長尺物を巻き取る回転体と、当該回転体を回動自在に保持する基台と、前記回転体の回動を停止させる制動装置と、当該制動装置を作動又は停止させる操作部材とからなり、前記操作部材は、使用者の操作によって前記制動装置を作動又は解除を行い、前記制動装置は、前記操作部材の操作後における前記回転体の回転角が１８０°以下で当該回転体を停止させる制動力を有することを特徴とする、第１の長尺物の巻取装置を提供する。
【００１９】
また上記長尺物の巻取装置において、前記操作部材は使用者の操作により揺動動作する操作杆と、当該操作杆に連結されて、前記制動装置を作動及び／又は停止させるワイヤーとからなり、前記制動装置は、当該ワイヤーによって動作する、前記第１の長尺物の巻取装置を提供する。
【００２０】
また上記長尺物の巻取装置において、前記操作部材は、基端側を基台に揺動自在に設け、先端側に回転体から引き出される長尺物を案内する案内部を設けた操作杆と、当該操作杆に連結されたワイヤーとからなり、前記制動装置は、使用者の操作によって揺動する操作杆に連動して進退移動するワイヤーにより作動又は停止することで、前記回転体の制動又は自由回転を実現し、当該制動装置は、回転体の任意の部位を挟持するキャリパーブレーキ、カンチブレーキ又はＶブレーキなどのリムブレーキ、回転体における回転軸部分を停止させるバンドブレーキ、ローラーブレーキ、サーボブレーキ等のハブブレーキ、及び回転体に設けられたディスク体を挟持するディスクブレーキから選択される、前記第１の長尺物の巻取装置を提供する。
【００２１】
更に前記長尺物の巻取装置において、前記ブレーキの制動力は８０Ｎ以上である、前記第１の長尺物の巻取装置を提供する。
【発明の効果】
【００２２】
上記本発明にかかる長尺物の繰り出し装置は、環状に巻かれている前記長尺物を保持する回転体と、当該回転体を回動自在に保持する基台と、前記回転体の回動を停止させる制動装置と、前記長尺物の引き出し及び／又は引き出しの停止に伴って前記制動装置を作動又は停止させる操作部材とからなり、前記操作部は、前記長尺物が引き出された時に制動装置を停止させて前記回転体の制動を解除すると共に、前記長尺物の引き出しが停止した時に前記制動装置を作動させて回転体の回動を停止させ、前記制動装置は、前記長尺物の引き出し停止後における前記回転体の回転角が１８０°以下で当該回転体を停止させる制動力を有することから、線条等の長尺物の引き出し停止時における回転体の停止動作を迅速かつ正確に行うことができる長尺物の繰り出し装置とすることができる。
【００２３】
そして回転体の制動装置が正確に回転体を停止させることができることから、長尺物の引き出しをスムーズに行っても、慣性回転による長尺物の送り出しの問題を解消することができる。よって、線条等の長尺物の引き出しをスムーズに行うことができながらも、その引き出し停止時における回転体の停止動作を正確に行うことができる長尺物の繰り出し装置を提供することができる。
【図面の簡単な説明】
【００２４】
【図１】第１の形態にかかる長尺物の繰り出し装置の動作を示す側面図であり、（Ａ）回転体の停止状態、（Ｂ）回転体の回転状態を夫々示している。
【図２】第１の実施の形態にかかる長尺物の繰り出し装置の（Ａ）部分断面分解正面図、（Ｂ）部分断面図である。
【図３】第２の実施の形態にかかる長尺物の繰り出し装置の動作を示す側面図であり、（Ａ）回転体の停止状態、（Ｂ）回転体の回転状態を夫々示している。
【図４】第３の実施の形態にかかる長尺物の繰り出し装置の動作を示す部分断面正面図であり、（Ａ）回転体の回転状態、（Ｂ）回転体の停止状態を夫々示している。
【発明を実施するための形態】
【００２５】
以下、図面を参照しながら本発明にかかる長尺物の繰り出し装置の実施の形態を説明する。ただし、以下に示す実施の形態は、本発明の技術的範囲を制限するものではなく、本発明の基本的な構成を伴う限りにおいて、公知技術や均等な技術を適用することにより適宜変更する事も可能である。
【００２６】
図１は第１の形態にかかる長尺物の繰り出し装置１１の動作を示す側面図であり、（Ａ）回転体２０の停止状態、（Ｂ）回転体２０の回転状態を夫々示している。また図２は第１の実施の形態にかかる長尺物の繰り出し装置１１の（Ａ）部分断面分解正面図、（Ｂ）部分断面図である。
【００２７】
この図１及び図２に示す第１の実施の形態にかかる長尺物の繰り出し装置１１は、特に電線、光ファイバ及び紐などの線条Ｓ部材を繰り出すための長尺物の繰り出し装置１１として具体化しているが、ホースなどのその他の長尺物を繰り出すために使用する事も可能である。
【００２８】
この第１の実施の形態にかかる長尺物の繰り出し装置１１は、環状に巻かれている前記長尺物を保持する回転体２０と、当該回転体２０を回動自在に保持する基台３０と、前記回転体２０の回動を停止させる制動装置４０と、前記長尺物の引き出し及び／又は引き出しの停止に伴って前記制動装置４０を作動又は停止させる操作部材５０と、線条Ｓのはみ出しを阻止するガイド部材６０とで構成している。
【００２９】
回転体２０は巻いた状態で提供される線条Ｓの内周面を保持する保持部２１と、当該保持部２１を固定する径方向フレーム２２と、当該径方向フレーム２２の先端側に輪郭を構成するように設けられたリング状フレーム２３とで形成されており、その中心部は軸周りに回動自在なシャフト部材２４に対して固定されている。従って、当該回転体２０は、シャフト部材２４の軸周りに回転自在となっている。このシャフト部材２４は、後述する基台３０に対して固定されており、軸周りの回転を円滑に行うためにベアリングなどの回動円滑部材を備えることが望ましい。これにより前記回転体２０は摩擦抵抗を受けることなく円滑に回転することができ、回転体２０が支持する線条Ｓの引き出しをスムーズに行うことができる。
【００３０】
かかる回転体２０を構成する保持部２１は、前記径方向フレーム２２の長さ方向に移動できるように設ける事も望ましい。対向配置される保持部２１同士の距離が、保持する巻かれた状態の線条Ｓの内径に相当することから、繰り出し作業を行う線材の巻き径にあわせて、当該保持部２１を移動できるようにするためである。これにより、様々な巻き径の線材を保持することができる。
【００３１】
本実施の形態において、前記径方向フレーム２２は、回転中心で交差させた２本の棒状部材で形成しており、その先端側を繋ぐようにしてリング状のリング状フレーム２３を設けている。但し、かかる回転体２０は、必ずしも前記径方向フレーム２２とリング状フレーム２３とで構成する必要はなく、例えば円盤状に形成した側面部材と、当該円盤状の側面部材における線条Ｓの保持面側に設けた保持部２１とで形成することもできる。
【００３２】
また、前記保持部２１は、前記径方向フレーム２２に固定された四角形の小片部分２１ａと、当該小片部分２１ａに固定された帯状部分２１ｂとで構成されており、当該帯状部分２１ｂは、巻いた状態の線条Ｓの内周面に沿う形状に湾曲して形成されている。かかる保持部２１は、前記径方向フレーム２２のそれぞれに対向状に配置しておいり、相互に対向状に配置した組み合わせを２組とした合計４個設置している、ただし当該保持部２１は、一定の間隔で３個又は５個以上配置することもでき、或いは当該保持部２１を円環状、或いは円柱状に形成することもできる。かかる保持部２１は、巻いた状態で提供される線条部材Ｓの内周面を保持できる限りにおいて任意の形状及び構造に形成することができ、望ましくは当該保持した線条Ｓ（巻いた状態の線条Ｓ）と保持部２１との相対的な回転を阻止するように、当該線条Ｓを確実に固定するように形成する。後述する制動装置４０による回転体２０の停止後に、当該巻いた状態の線条Ｓだけが相対回転するのを阻止する為である。
【００３３】
前記基台３０は、本実施の形態における各構成要素、例えば前記回転体２０や後述する制動装置４０及び操作部材５０を保持する為に機能するものであり、本実施の形態ではフレーム（パイプ及び棒部材を含む）によって形成している。ただし当該機能を担保し得る限りにおいて板状又は箱状部材などによって形成することもできる。
【００３４】
本実施の形態にかかる基台３０は、２本の脚部材３０ａ，３０ｂと、当該脚部材同士の交差部分から鉛直方向に立ち上がる立上げフレーム３０ｃと、この立上げフレーム３０ｃの上端部に設けた手持ち部３０ｄとで構成しており、これらは何れもパイプや棒部材を用いて形成している。そして前記立上げフレーム３０ｃには、前記回転体２０を回動自在に設けているシャフト部材２４を固定する為の軸受３１を設けている。本実施の形態において、当該軸受３１は立上げフレーム３０ｃの前方側に延出するＬ字状アングル部材で形成しているが、前記シャフト部材２４を保持できるものであれば、任意の形状及び構造に形成することができる。
【００３５】
また当該基台３０における後側（引き出し方向とは反対の背面側）の脚部３１ａには、立上げ状に操作部材５０の軸受３２を設けている。かかる軸受３２は、後述する操作部を所定の位置に揺動自在に保持できれば良いことから、当該脚部に限らず、任意の位置に設けることもできる。また、当該後側の脚部３０ａには、後述する操作部材５０のワイヤー５２を保持する為のワイヤー５２受けフレーム３３を設けている。かかるワイヤー５２受けフレーム３３は、本実施の形態では棒状部材をＬ字状に曲折して形成しているが、ワイヤー５２の端部を所定の位置に保持できる限りにおいて任意の形状に形成することができる。
【００３６】
前記制動装置４０は、所謂ブレーキとして機能するものであり、回転体２０の回動を制限し、または回転している回転体２０を停止さるものである。特に本実施の形態においては、自転車の制動装置４０として使用されているブレーキ機構を利用することができ、この第１の実施の形態にかかる長尺物の繰り出し装置１１では、回転体２０における回転軸部分を停止させるバンドブレーキ、ローラーブレーキ、サーボブレーキ等のハブブレーキを使用している。かかる制動装置４０は、線条Ｓの引き出しにより回転している回転体２０を、線条Ｓの引き出し停止時に停止させるように動作することが必要であり、望ましくは８０Ｎ以上、更に望ましくは８０Ｎ以上、特に望ましくは１５０Ｎ以上の制動力を有するブレーキ（制動装置４０）を使用することができる。即ち、線条Ｓの引き出しにより回転している回転体２０は、当該回転体２０と一緒に回転している線条Ｓの質量も合わさって、その回転トルクは大きくなる場合もある。一方で、線条Ｓの引き出しを止めた段階で当該回転体２０が慣性回転してしまうと、巻かれている線条Ｓが強制的に繰り出され、これにより絡んでしまうことが危惧される。そこで本実施の形態にかかる制動装置４０では、十分な制動力を有するもの、特に前記長尺物の引き出し停止後における前記回転体２０の回転角が１８０°以下（即ち半周以下）、望ましくは９０°以下（即ち１／４周以下）、特に望ましくは４５°以下（即ち１／８周以下）で当該回転体２０を停止させる制動力を有するものを使用し、当該慣性回転に基づく線条部材Ｓの繰り出しを抑止するものである。
【００３７】
そして本実施の形態にかかる制動装置４０は、線条部材Ｓの引き出し及びその停止に伴って動作する操作部材５０を備えており、前記制動装置４０は当該操作部材５０の動作に追従して進退するワイヤー５２によって動作されるように構成している。即ち、前記回転体２０には制動装置４０の質量が直接作用するのではなく、ワイヤー５２を進退動作させて、これにより制動手段を動作させることにより、回転体２０を制動するように構成している。
【００３８】
かかる操作部材５０は、本実施の形態では前記基台３０の後側（引き出し方向とは反対の背面側）の脚部３０ａに、立上げ状に設けた軸受３２を設け、この軸受３２に対して揺動自在に設けた操作杆５１と、当該操作杆５１に連結されて、前記制動装置４０を作動及び／又は停止させるワイヤー５２とで構成している。かかる操作杆５１は本実施の形態では軸受３２から前方に延伸すると共に、回転体２０が保持する巻いた線条Ｓの正面に向かってＬ字状に曲折させて形成しており、前記回転体２０が保持する線条Ｓ（巻いた線条Ｓ）の正面部分には、回転体２０から引き出される長尺物を案内するリング状の案内部５３を設けている。
【００３９】
前記ワイヤー５２は、その基端側を当該操作杆５１に連結しており、当該ワイヤー５２の先端側は、前記制動装置４０に連結されている。かかる制動装置４０は、本実施の形態では当該ワイヤー５２の進退動作によって、回転体２０の回動を停止させたり、或いは当該回転体２０の自由回転を許容するものが使用されている。
【００４０】
そして図１（Ａ）に示す様に、前記操作杆５１の先端側、即ち回転体２０に保持されている巻かれた線条Ｓの正面側に存在する部分は、常には当該操作杆５１の重さによって、下向きに不正されている。これにより前記ワイヤー５２は引っ張られた状態となり、これにより前記制動装置４０が作用して前記回転体２０の回動は阻止される。一方、回転体２０が保持する線条Ｓが引き出された際には、図１（Ｂ）に示す様に、前記操作杆５１の先端側は前記案内部５３を通る線条Ｓによって持ち上げられ、これによりワイヤー５２に対する張力が解除され、前記制動装置４０における制動状態は解除される。
【００４１】
従って、回転体２０に保持されている線条Ｓを引き出すことにより図１（Ｂ）に示す様に操作杆５１は持ち上がり、これにより制動装置４０をフリーにして回転体２０の自由回転を可能とする。一方で当該線の引き出しを止めた場合には、当該線条Ｓの張力は無くなることから前記操作杆５１はその自重によって下方に回動し、これによってワイヤー５２を引っ張って、前記制動装置４０を動作させて迅速に回転体２０の慣性回転を停止させることができる。特に第１の実施の形態にかかる長尺物の繰り出し装置１１は、線条Ｓ材料の引き出し又は停止により上下揺動する操作杆５１を用いて操作部材５０を形成している。
【００４２】
図２は前記第１の実施の形態にかかる長尺物の繰り出し装置１１の（Ａ）部分断面分解正面図、（Ｂ）部分断面図である。この図に示す様に、当該長尺物の繰り出し装置１１に、巻いた状態で提供されている線条Ｓを設置する際には、前記回転体２０の保持部２１を、巻いた状態の線条Ｓの中心孔に挿入し、そして当該設置した線条Ｓの脱落を阻止する為に、抑え部材２５を設け、これを前記シャフトに固定する。本実施の形態において、当該抑え部材２５は前記径方向フレーム２２とリング状フレーム２３とで形成しており、更に当該リング状フレーム２３にはハンドル２６を設けている。前記操作杆５１を持ち上げて制動装置４０をフリーの状態にすれば、当該ハンドル２６で回転体２０を繰り出し方向とは逆向きに回転させることで、線条Ｓの巻取を行うことも可能になる。なお、当該抑え部材２５は、前記保持部２１にセットした線条Ｓ（巻いた状態の線条）の脱落を阻止すれば良いことから、その他にも円盤などを用いて形成することもできる。
【００４３】
そして本実施の形態にかかる長尺物の繰り出し装置１１では、前記回転体２０の下側には、繰り出し時、及び巻取時において、線条Ｓが回転体２０の外側にはみ出すことが無いように、ガイド部材６０を設けている。かかるガイド部材６０は本実施の形態では、前記回転体２０におけるリング状フレーム２３の下側に沿う湾曲部６１と、当該湾曲部から前記リング状フレーム２３の近傍まで延出する抜け止め部６２とで形成している。かかるガイド部材６０を備えることにより、繰り出し及び巻取動作において、線条Ｓに対するテンションが緩んだ場合であっても、当該回転体２０内に存在させることができ、当該線条Ｓの絡まり（例えばシャフトへの絡まり）を阻止することができる。
【００４４】
次に図３及び４を参照しながら、他の実施の形態にかかる長尺物の繰り出し装置を具体的に説明する。特に図３は、制動装置４０を操作する為の操作部材５０を異ならせた長尺物の繰り出し装置１２を示しており、図４は、回転体２０の自由回転を抑制する制動装置４０を異ならせた長尺物の繰り出し装置１３を示している。以下の実施の形態に示す様に、操作部材５０や制動装置４０は、それぞれの機能を担保する限りにおいて、任意に変更することができる。
【００４５】
図３は、第２の実施の形態にかかる長尺物の繰り出し装置１２の動作を示す側面図であり、（Ａ）回転体２０の停止状態、（Ｂ）回転体２０の回転状態を夫々示している。この第２の実施の形態にかかる長尺物の繰り出し装置１２は、前記第１の実施の形態にかかる長尺物の繰り出し装置１１とは、操作部材５０を異ならせている。即ち、本実施の形態にかかる長尺物の繰り出し装置１２は、線材の引き出し又は停止動作によって、前後方向に揺動する操作杆５１を備えており、当該操作杆５１における下端側、即ち線条の案内部５３とは反対側の端部にワイヤー５２を連結し、当該操作杆５１の前後揺動によってワイヤー５２を進退動作させるように構成している。そして制動装置４０は、前記第１の実施の形態にかかる長尺物の繰り出し装置１１と同じように、このワイヤー５２の進退動作によって、前記回転体２０の制動及び自由回転を許容するものとなっている。
【００４６】
この実施の形態にかかる長尺物の繰り出し装置１２では、線条Ｓの引き出しによるテンションが架かっていない状態においては、図３（Ａ）に示す様に、前記操作杆５１は、当該操作杆５１と立上げフレーム３０ｃとの間に設けた鶴巻バネやゴムなどの弾性部材６０による引っ張り力で回転中心から上方に向かって立ち上がって存在する。この時ワイヤー５２は引っ張られた状態となり、前記制動装置４０は回転体２０を制動することができる。一方、線条Ｓの引き出しにより当該線条Ｓに対して張力が作用した場合には、図３（Ｂ）に示す様に、当該操作杆５１は前方に傾倒し、これによりワイヤー５２に対する引っ張り力は解除され、前記制動装置４０はフリーとなる。これにより前記回転体２０は自由回転が可能となり、線条Ｓの引き出しを円滑に行うことができる。この時、前記操作杆５１は、前記弾性部材６０の復元力に抗して操作杆５１を前方に傾倒させることになる。そして線条Ｓの引き出しを止めた時には、当該線条Ｓに対する張力は無くなることから、前記操作杆５１は前記弾性部材６０の復元力によって、線材の引き出し方向とは逆向きに復元し、再び制動装置４０を動作させることができる。この実施の形態にかかる長尺物の繰り出し装置１１によれば、前記ワイヤー５２を引っ張る力の強さは、前記弾性部材６０の復元力に応じて調整することが可能となる。
【００４７】
そして図４は、第３の実施の形態にかかる長尺物の繰り出し装置１３の動作を示す部分断面正面図であり、（Ａ）回転体２０の回転状態、（Ｂ）回転体２０の停止状態を夫々示している。この第３の実施の形態にかかる長尺物の繰り出し装置１３は、前記第１の実施の形態にかかる長尺物の繰り出し装置１１とは、制動装置を異ならせている。即ち、本実施の形態にかかる長尺物の繰り出し装置１３では、回転体２０、基台３０、操作部材５０は前記第１の実施の形態にかかる長尺物の繰り出し装置１１と同様の構成であるが、制動装置７０として、回転体２０の任意の部位又は回転体２０と一緒に回動するディスク体を挟持するキャリパーブレーキ、カンチブレーキ又はＶブレーキなどのリムブレーキ、及びディスクブレーキから選択した長尺物の繰り出し装置１３を示している。
【００４８】
特にこの図４に示す実施の形態では、前記回転体２０におけるリング状フレーム２３を挟持するように制動装置７０を設けており、当該制動装置７０は、前記操作杆５１の上下揺動に連動して動作するように構成している。即ち図４（Ａ）に示す様に、線条Ｓの引き出しによって操作杆５１が持ち上げられている状態においては、当該制動装置７０はリング状フレーム２３を挟持することなく、その自由回転を許容している。一方で図４（Ｂ）に示す様に、線条Ｓの引き出しを中止することにより、前記操作杆５１の先端が自重で下方に移動した場合には、ワイヤー５２を牽引して制動装置７０を作動させ、当該制動装置７０のパッド７１によりリング状フレーム２３を挟持するように形成している。これにより、線条Ｓの引き出し時には回転体２０の自由回転を許容し、線条Ｓの引き出しを取りやめた場合には、迅速かつ確実に回転体２０を停止させる事のできる長尺物の繰り出し装置１３が実現する。
【産業上の利用可能性】
【００４９】
本発明にかかる長尺物の繰り出し装置は、電線、ロープ、ホース、或いはシートなどの長尺物を円滑に繰り出すことができ、繰り出しを中止した場合には、慣性回転を迅速に停止させることができることから、慣性回転による長尺物の繰り出しに伴う絡まりの問題をなくした長尺物の繰り出し装置として利用することができる。
【００５０】
かかる長尺物の繰り出し装置は、電線や光ケーブルの繰り出しのみならず、農業分野や工業分野等において長尺物を引き出し、又は繰り出すために使用することができる。
更に、当該長尺物の繰り出し装置は、巻取用のハンドルを設ける事により、前記長尺物を巻き取るための装置としても使用することができる。
【符号の説明】
【００５１】
１１、１２、１３    繰り出し装置
２０    回転体
２１    保持部
２２    径方向フレーム
２３    リング状フレーム
２４    シャフト部材
２６    ハンドル
３０    基台
３１、３２    軸受
４０    制動装置
５０    操作部材
５１    操作杆
５２    ワイヤー
６０    ガイド部材
６０    弾性部材
Ｓ    線条（線条部材）
【図１】
2020125188.tif 000003
【図２】
2020125188.tif 000004
【図３】
2020125188.tif 000005
【図４】
2020125188.tif 000006